(57)【要約】  第１ツマミ片及び第２ツマミ片を確実に摘んで係合を解除できると共に、ホース外周に密接状態で締付け固定できる、ホースクランプを提供する。  このホースクランプ１０は、板ばね本体１２を有し、その一端部にスリット１６及び第１ツマミ片２０が形成され、他端部に差込片２９及び第２ツマミ片３０が形成されている。第１ツマミ片２０には、第２ツマミ片３０の第１ツマミ片に対向する面とは反対側の面に係合できる係止片２２が形成され、第２ツマミ片３０には、前記係合状態を保持するストッパ部が形成されている。また、係止片２２は、板ばね本体１２の周方向にほぼ沿って伸びると共に、その先端部２５が板ばね本体１２の半径方向内方に向かって湾曲しており、両ツマミ片２０，３０を工具で挟むとき、工具が係止片２２の先端部２５に引っ掛かることなく第２ツマミ片３０に移動するようになっている。
2010092702.tif 000002
【特許請求の範囲】
【請求項１】
環状に湾曲されて形成された板ばね本体を有し、
この板ばね本体の一端部に、周方向に沿って形成されたスリットと、半径方向外方に突出した第１ツマミ片とが形成され、
前記板ばね本体の他端部には、前記スリットに差し込まれ、該スリット内を周方向にスライド可能とされた差込片と、該差込片の端部から半径方向外方に突出し、前記第１ツマミ片に対向して配設された第２ツマミ片とが形成され、
前記板ばね本体が縮径した自由状態から前記第１ツマミ片及び前記第２ツマミ片を近接させると、前記板ばね本体がその弾性力に抗して拡径するように構成されたホースクランプにおいて、
前記第１ツマミ片には、前記第２ツマミ片に向かって伸びると共に、前記板ばね本体の幅方向に延出されて、前記第２ツマミ片の、第１ツマミ片に対向する面とは反対側の面に係合できるフック状をなした係止片が形成され、
前記第２ツマミ片には、前記第１ツマミ片に対向する面とは反対側の面に、前記係止片が係合したときに、その状態を保持するストッパ部が形成され、
前記係止片の係止部は、前記板ばね本体が縮径した自由状態で、前記ストッパ部に対して幅方向にずれていて、周方向に沿って見たとき重ならない位置に形成されており、前記係止片は、前記板ばね本体の周方向にほぼ沿って伸びると共に、その先端部が前記板ばね本体の半径方向内方に向かって湾曲していることを特徴とするホースクランプ。
【請求項２】
前記係止片の基部側は、前記第２ツマミ片側に向けて幅方向に広がるテーパ状をなしており、第１ツマミ片と第２ツマミ片とを近接させたとき、前記第２ツマミ片が前記係止片の幅方向に広がる基部側に接触して、前記係止片から離れるように幅方向に移動するように構成されている請求項１記載のホースクランプ。
【請求項３】
前記係止片の最先端部は、前記係止部側の側縁が切欠かれており、前記係止片の係止部が設けられた部分よりも幅狭に形成されている請求項１又は２記載のホースクランプ。
【請求項４】
前記係止片の最先端部は、前記板ばね本体の前記第１つまみ片側の端部にあるスリット内に向けて、該スリットを囲む板ばね本体の外周面とほぼ同じ位置か、その位置よりも前記板ばね本体の半径方向内方に位置するように湾曲形成されている請求項１〜３のいずれか１つに記載のホースクランプ。
【発明の詳細な説明】
【技術分野】
【０００１】
本発明は、例えば、自動車用の内部配管どうしを、ホースを用いて接続する際に用いられるホースクランプに関する。
【背景技術】
【０００２】
従来、自動車用の内部配管として用いられるパイプどうしを接続する際に、パイプの端部外周に可撓性のホースを被せ、このホース外周を更にホースクランプによって締付けることによって、パイプにホースを固定する方法が広く用いられている。【０００３】
上記ホースクランプとして、下記特許文献１には、環状の板ばね本体を有し、該板ばね本体の一端部にスリット及び第１ツマミ片が形成され、板ばね本体の他端部に差込片及び第２ツマミ片が形成され、両ツマミ片を近接させることにより板ばね本体が拡径するように構成されており、前記第１ツマミ片には、第２ツマミ片に向かって伸びると共に、前記板ばね本体の幅方向に延出されて、第２ツマミ片の、第１ツマミ片の対向面とは反対面に係合するフック状の係止片が形成され、前記第２ツマミ片には、前記係止片の上側に位置し板ばね本体の幅方向に延出した操作片が形成されると共に、第２ツマミ片と前記係止片との係合状態を保持するストッパ部が形成され、前記係止片は、板ばね本体が縮径した自由状態で、前記ストッパ部に対して幅方向にずれ、周方向に沿って見たとき重ならない位置に形成されているホースクランプが開示されている。【０００４】
そして、両ツマミ片を近接させると共に、係止片を幅方向に寄せて第２ツマミ片に係合させると、ストッパ部により係合状態が保持されて、板ばね本体が拡径した状態に維持される。この状態では、両ツマミ片が近接していると共に、係止片の上側に操作片が配置された状態となっている。【０００５】
そのため、両ツマミ片を工具で摘んで更に近接させたり、操作片の一端と第１ツマミ片の他端とを工具で挟み込んだり、係止片と操作片とを工具でこじるように離反させたりする等の多様な方法によって、係止片を第２ツマミ片に対してずらすことにより、板ばね本体を弾性的に縮径させて、ホースを締め付け固定できるようになっている。【０００６】
また、下記特許文献２には、Ｃ字状の締付リングと、該締付リングの両端部から交差して半径方向に起立する一対のグリップとから成り、一方のグリップは、ガイド溝の開口を有してアーチ状の巾広寸法を呈し、他方のグリップは、上記ガイド溝内を移動できる巾狭寸法を呈して、締付リングが自由状態で縮径した時には、ホースの締め付けを可能とし、一対のグリップを互いに接近させた時には、締付リングを拡径するように構成され、上記ガイド溝の一方のグリップ寄りの溝縁に他方のグリップを係脱可能に係止する係止部を設けると共に、該係止部から続くガイド溝の溝縁に他方のグリップをガイド溝の開口方向へ誘導する誘導部を設けたホースクランプが開示されている。
【特許文献１】国際公開第０７／１０８１５５号パンフレット
【特許文献２】特開２００１−１５９４９１号公報
【発明の概要】
【発明が解決しようとする課題】
【０００７】
上記特許文献１のホースクランプの場合、第１ツマミ片から伸びるフック状の係止片が、第２ツマミ片の第１ツマミ片の対向面とは反対面に回り込むようにして、同反対面に係合しているので、係止片の先端部は第２ツマミ片の反対面よりも周方向外方に突出した状態となっている。【０００８】
そして、上記ホースクランプは、第１ツマミ片側の係止片と第２ツマミ片との係合を複数の方法で解除できるようになっているが、両ツマミ片を摘まんで近接させる解除方法では次の問題があった。すなわち、係止片の先端部が第２ツマミ片の反対面よりも周方向外方に突出しているので、両ツマミ片を摘もうとした場合に、誤って第１ツマミ片及び第１ツマミ片から延出された係止片の先端部を摘んでしまって、第１ツマミ片と第２ツマミ片とを近接させることができず、係止片と第２ツマミ片との係合を解除できないことがあった。【０００９】
一方、上記特許文献２のホースクランプでは、締付リングにガイド溝が形成され、同ガイド溝の一方のグリップ寄りの溝縁に他方のグリップを係脱可能に係止する係止部が設けられている。そして、締付リングが拡径した場合には、一方のグリップの係止部に他方のグリップが係合し、締付リングが縮径した状態では、他方のグリップに対して、係止部を設けた一方のグリップが、半径方向外方に若干浮き上がった状態となっている。その結果、締付リングが縮径してホースを締付け固定する際に、ホース全周に締付リング内周が密接しないため、パイプ等とホースとのシール性が不十分な場合があった。【００１０】
したがって、本発明の目的は、第１ツマミ片及び第２ツマミ片を確実に摘んで係合を解除することができると共に、ホース外周にしっかりと密接した状態で締付け固定することができる、ホースクランプを提供することにある。
【課題を解決するための手段】
【００１１】
上記目的を達成するため、本発明の第１は、環状に湾曲されて形成された板ばね本体を有し、
この板ばね本体の一端部に、周方向に沿って形成されたスリットと、半径方向外方に突出した第１ツマミ片とが形成され、
前記板ばね本体の他端部には、前記スリットに差し込まれ、該スリット内を周方向にスライド可能とされた差込片と、該差込片の端部から半径方向外方に突出し、前記第１ツマミ片に対向して配設された第２ツマミ片とが形成され、
前記板ばね本体が縮径した自由状態から前記第１ツマミ片及び前記第２ツマミ片を近接させると、前記板ばね本体がその弾性力に抗して拡径するように構成されたホースクランプにおいて、
前記第１ツマミ片には、前記第２ツマミ片に向かって伸びると共に、前記板ばね本体の幅方向に延出されて、前記第２ツマミ片の、第１ツマミ片に対向する面とは反対側の面に係合できるフック状をなした係止片が形成され、
前記第２ツマミ片には、前記第１ツマミ片に対向する面とは反対側の面に、前記係止片が係合したときに、その状態を保持するストッパ部が形成され、
前記係止片の係止部は、前記板ばね本体が縮径した自由状態で、前記ストッパ部に対して幅方向にずれていて、周方向に沿って見たとき重ならない位置に形成されており、
前記係止片は、前記板ばね本体の周方向にほぼ沿って伸びると共に、その先端部が前記板ばね本体の半径方向内方に向かって湾曲していることを特徴とするホースクランプを提供するものである。【００１２】
上記発明によれば、板ばね本体が縮径した自由状態から、弾性力に抗して第１ツマミ片及び第２ツマミ片を近接させると共に、係止片を幅方向に寄せて第２ツマミ片の反対面に係合させると、ストッパ部によりその係合状態が保持されて、板ばね本体の両端部が幅方向に撓んだ状態で、拡径した状態に維持することができる。【００１３】
この状態で、パイプ等に外装されたホース外周にホースクランプを配置して例えばプライヤやペンチ等の工具で、第１ツマミ片と第２ツマミ片とを摘んで近接させ、係止片を第２ツマミ片の反対面から周方向にずらして、ストッパ部による係合保持を解除すると、幅方向に撓んだ板ばね本体の両端部が元の位置に戻って、係止片と第２ツマミ片とが係合しない位置になる。その状態で、工具を徐々に開いて第１ツマミ片と第２ツマミ片とを広げて離すと、板ばね本体の弾性復元力により差込片がスリット内をスライドして、板ばね本体が縮径するので、ホースを締付けてパイプ等に固定することができる。【００１４】
そして、本発明においては、第２ツマミ片に係合する係止片が、板ばね本体の周方向にほぼ沿って伸び、その先端部が板ばね本体の半径方向内方に向かって湾曲しているので、プライヤやペンチ等の工具で、第１ツマミ片と第２ツマミ片とを摘んで近接させるとき、工具が第１ツマミ片とその係止片の先端部とを摘んでしまった場合でも、係止片の先端部に引っ掛かることなく、第２ツマミ片に移動することができ、第１ツマミ片と第２ツマミ片とを確実に摘んで係合を解除することができる。【００１５】
また、係止片は、板ばね本体の半径方向外方に突出した第１ツマミ片から延出しているので、締付けすべきホースの全周に板ばね本体の内周をしっかりと密接させて、ホースをパイプ等に締付けることができ、パイプ等に接続されたホースのシール性等を向上させることができる。【００１６】
また、係止片は、その先端部に至るまでは、板ばね本体の周方向に沿って、言い換えると板ばね本体とほぼ平行に伸びているので、第２ツマミ片の、第１ツマミ片に対向する面とは反対側の面に、係止片の係止部をほぼ垂直な角度で当接させることができ、第２ツマミ片に対する係合力を高めることができる。【００１７】
更に、係止片の係止部が、第２ツマミ片の上記反対側の面にほぼ垂直な角度で当接するので、係止片を第２ツマミ片に係合させても、ホースクランプの真円度が崩れることが防止され、ホースクランプの内径が大きく確保されるので、ホースクランプをホース外周に配置し、ホースをパイプの端部に外挿し、ホースクランプを締め付けるべき位置まで移動させるとき、パイプの端部外周に設けられた環状のリブ（バルジ部）によってホースが盛り上がった部分を、容易に通過させることができる。【００１８】
これに対して、係止片を、第１ツマミ片から板ばね本体の半径方向内方に向かって斜めに延出させて、第２ツマミ片の、第１ツマミ片に対向する面とは反対側の面に係合させるようにした場合には、係止片を第２ツマミ片に係合させると、第２ツマミ片に対する係止片の係合力が斜めに作用し、第２ツマミ片が外径側に押されてホースクランプの真円度が崩れてしまう傾向がある。このため、ホースクランプをホース外周に配置し、ホースをパイプの端部に外挿し、ホースクランプを締め付けるべき位置まで移動させるとき、パイプの端部外周に設けられた環状のリブ（バルジ部）によってホースが盛り上がった部分を通過できなくなることがある。【００１９】
本発明の第２は、前記第１の発明において、前記係止片の基部側は、前記第２ツマミ片側に向けて幅方向に広がるテーパ状をなしており、第１ツマミ片と第２ツマミ片とを近接させたとき、前記第２ツマミ片が前記係止片の幅方向に広がる基部側に接触して、前記係止片から離れるように幅方向に移動するように構成されているホースクランプを提供するものである。【００２０】
上記発明によれば、第１ツマミ片と第２ツマミ片とを近接させたとき、前記第２ツマミ片が前記係止片の幅方向に広がる基部側に接触して、前記係止片から離れるように幅方向に移動するので、第２ツマミ片を第１ツマミ片の係止片と干渉しない位置に確実に移動させることができる。【００２１】
本発明の第３は、前記第１又は第２の発明において、前記係止片の最先端部は、前記係止部側の側縁が切欠かれており、前記係止部が設けられた部分よりも幅狭に形成されているホースクランプを提供するものである。【００２２】
上記発明によれば、係止片と第２ツマミ片との係合が解除されて、板ばね本体の弾性復元力により、差込片がスリット内をスライドして、板ばね本体が縮径する際、係止片の最先端部が、スリット内をスライドする第２ツマミ片に干渉することを防止し、板ばね本体をスムーズに縮径させることができる。【００２３】
本発明の第４は、前記第１〜３のいずれか１つの発明において、前記係止片の最先端部は、前記板ばね本体の前記第１つまみ片側の端部にあるスリット内に向けて、該スリットを囲む板ばね本体の外周面とほぼ同じ位置か、その位置よりも前記板ばね本体の半径方向内方に位置するように湾曲形成されているホースクランプを提供するものである。【００２４】
上記発明によれば、係止片の最先端部は、板ばね本体の外周面とほぼ同じ位置か、その位置よりも板ばね本体の半径方向内方側に位置するように形成されているので、プライヤやペンチ等の工具で第１ツマミ片と第２ツマミ片とを摘んで近接させるとき、工具が係止片の先端部により引っ掛かりにくくすることができる。
【発明の効果】
【００２５】
本発明によれば、第２ツマミ片に係合する係止片が、板ばね本体の周方向にほぼ沿って伸び、その先端部が板ばね本体の半径方向内方に向かって湾曲しているので、工具で、第１ツマミ片と第２ツマミ片とを摘んで近接させるとき、工具が係止片の先端部に引っ掛かることなく第２ツマミ片に移動させて、第１ツマミ片と第２ツマミ片とを確実に摘んで係合を解除することができる。【００２６】
また、係止片は、板ばね本体の半径方向外方に突出した第１ツマミ片から延出しているので、ホース全周に板ばね本体の内周をしっかりと密接させ、ホースをパイプ等に締付けることができ、パイプ等に接続されたホースのシール性等を向上させることができる。
【図面の簡単な説明】
【００２７】
【図１】本発明のホースクランプの一実施形態を示し、拡径状態での斜視図である。
【図２】同ホースクランプにおいて、第１ツマミ片及び第２ツマミ片を近接させた状態を示す斜視図である。
【図３】同ホースクランプの縮径した状態における斜視図である。
【図４】同ホースクランプを平面状に展開した状態を示す説明図である。
【図５】同ホースクランプの要部拡大斜視図である。
【図６】同ホースクランプの要部拡大断面図である。
【図７】同ホースクランプの拡径した状態における正面図である。
【図８】同ホースクランプの拡径した状態における背面図である。
【図９】同ホースクランプの拡径した状態における平面図である。
【図１０】同ホースクランプの拡径した状態における底面図である。
【図１１】同ホースクランプの拡径した状態における右側面図である。
【図１２】同ホースクランプの拡径した状態における左側面図である。
【図１３】図９のＡ―Ａ矢示線における断面図である。
【符号の説明】
【００２８】
１０  ホースクランプ（クランプ）
１２  板ばね本体
１６  スリット
２０  第１ツマミ片
２２  係止片
２５  先端部
２５ａ  最先端部
２７ａ  係止部
２７ｂ  側縁
２９  差込片
３０  第２ツマミ片
３２  凹溝（ストッパ部）
【発明を実施するための形態】
【００２９】
以下、図１〜１３を参照して、本発明のホースクランプの一実施形態について説明する。なお、図７〜１３においては、この実施形態の特徴的な部分を実線で示している。仮に意匠出願に変更された場合には、実線で表された部分が、部分意匠として意匠登録を受けようとする部分となり、図７〜９及び図１１〜１３に示す一点鎖線は、部分意匠として意匠登録を受けようとする部分とその他の部分との境界のみを示す線となる。
【００３０】
例えば、自動車等の内部では各種の配管が配設されているが、これらの配管どうしを連結するため、ゴム等の材質からなる可撓性のホースが採用されている。図１〜３に示すように、本発明のホースクランプ１０（以下、「クランプ１０」という）は、パイプやチューブ等の配管Ｐの一端部に被せられたホースＨの外周に配設されて、該ホースＨの外周を締付けて、配管ＰにホースＨを固定するために用いられるものである。
【００３１】
図１〜４に示すように、この実施形態におけるクランプ１０は、帯状の金属板を所定形状に打抜き屈曲させることにより形成されるもので（図４参照）、環状に湾曲されて形成された板ばね本体１２を有し、その一端部に第１ツマミ片２０が形成され、他端部に第２ツマミ片３０が形成されている。板ばね本体１２は、その自由状態で、第１ツマミ片２０と第２ツマミ片３０とが周方向に離れて縮径した状態となり（図３参照）、板ばね本体１２の弾性力に抗して第１ツマミ片２０と第２ツマミ片３０とを近接させたとき、拡径した状態となる（図１参照）。前記板ばね本体１２の周方向の中間部には、複数の長孔１４が設けられている。この長孔１４により、板ばね本体１２の応力分布を均一にしている。
【００３２】
以下、板ばね本体１２の両端部の形状について更に詳しく説明する。板ばね本体１２の一端部には、周方向に沿って所定長さでスリット１６が形成されている。そして、前記スリット１６の先端側で板ばね本体１２の一端部が折曲されて、半径方向外方に突出し、アーチ形状をなす第１ツマミ片２０が形成されている。図４及び図１１を併せて参照すると、スリット１６の両内側縁１６ａ，１６ａは、板ばね本体１２の一端部側に向けて次第に幅広となるテーパ形状をなしている。その結果、板ばね本体１２の他端部の後述する差込片２９が、スリット１６内に挿入されやすくなっている。
【００３３】
前記第１ツマミ片２０には、第２ツマミ片３０に向かって伸びると共に、板ばね本体１２の幅方向に延出されて、第２ツマミ片３０の、第１ツマミ片２０に対向する面とは反対側の面に係合できるフック状をなした係止片２２が形成されている。この係止片２２について、図１〜６を参照して説明する。
【００３４】
図５に示すように、係止片２２は、第１ツマミ片２０の上壁部２１から、第２ツマミ片３０に向かって板ばね本体１２の周方向にほぼ沿ってスリット１６の両側部とほぼ平行に伸びる基部２３と、この基部２３の先端から板ばね本体１２の半径方向内方に向かって湾曲する先端部２５とを有している。
【００３５】
前記基部２３は、前記上壁部２１の幅方向一側の下縁から延設された根元部２３ａと、この根元部２３ａの幅方向一側から一定幅で直線状に伸びるアーム部２３ｂとを有している。前記根元部２３ａの、板ばね本体１２の幅方向中心側の側縁には、第１ツマミ片２０側に向けて幅方向に広がるテーパ部２３ｃが形成されている（図４，５，９参照）。このテーパ部２３ｃは、図１，５に示す状態から、第１ツマミ片２０と第２ツマミ片３０とを近接させたとき、第２ツマミ片３０を前記テーパ部２３ｃに接触させて、係止片２２から離れるように幅方向に移動させやすくする役割をなす。
【００３６】
一方、図５に示すように、先端部２５は、上記基部２３のアーム部２３ｂの先端から、板ばね本体１２の半径方向内方に向かって湾曲するように延出されており、その最先端部２５ａは円弧状に丸みを帯びた形状をなしている。図６に示すように、この最先端部２５ａは、板ばね本体１２の第１つまみ片２０側の端部にあるスリット１６内に向けて、該スリット１６を囲む板ばね本体１２の外周面とほぼ同じ位置か、該外周面よりも板ばね本体１２の半径方向内方に位置して、スリット１６内に入り込むように湾曲形成されている。
【００３７】
また、先端部２５の一側部には、スリット１６の内方に向けて板ばね本体１２の幅方向に突出するフック部２７が形成されている。このフック部２７は、その先端部が第１ツマミ片２０に向けて突出し、係止部２７ａをなしている。そして、係止部２７ａが、第２ツマミ片３０における第１ツマミ片２０の対向面とは反対面に形成された後述する凹溝３２に係合するようになっている。
【００３８】
更に、係止片２５の最先端部２５ａは、係止部２７ａ側の側縁２５ｂを切欠かれて幅狭となっている。この実施形態では、フック部２７から最先端部２５ａに向けて次第に幅狭にするテーパ状に切欠かれている。係止片２５の最先端部２５ａが上記のように幅狭となっていることにより、板ばね本体１２が縮径するとき、係止片２５の最先端部２５ａが差込片２９と干渉しないようになっている。
【００３９】
一方、板ばね本体１２の他端部には、前記スリット１６内に差し込まれると共に、板ばね本体１２が拡径又は縮径したときに、スリット１６内を周方向にスライドする差込片２９が形成されている。この差込片２９の先端よりやや手前の部分は、図４、５に示すように、係止片２５側に向く一側部２９ａが、板ばね本体１２の中心線Ｃ（図４参照）に近接する位置まで切欠かれている。そして、この差込片２９の一側部２９ａを含む端部が、板ばね本体１２の半径方向外方に折曲されて、第２ツマミ片３０が形成されており、この第２ツマミ片３０は前記第１ツマミ片２０に対向して配設されている。
【００４０】
また、第２ツマミ片３０の突出した先端部からは、板ばね本体１２の幅方向一側（係止片２２に近づく向き）へ向けて突片３１が突設されており、プライヤやペンチ等の工具で第２ツマミ片３０を摘まみやすくなっている。
【００４１】
図２，５，６に示すように、第２ツマミ片３０の、第１ツマミ片２０に対向する面とは反対側の面（以下、「第２ツマミ片３０の外面」という）には、第２ツマミ片３０の厚さ方向に所定深さで凹溝３２が形成されている。この凹溝３２の周縁に前記係止片２２の係止部２７ａが係合すると共に、その係合状態が保持されるようになっている。すなわち、この実施形態では、凹溝３２が本発明におけるストッパ部をなしている。なお、ストッパ部は凹溝形状に限らず、係止部２７ａの移動を規制する突起形状等であってもよく、係止片２２と第２ツマミ片３０との係合状態を保持できる形状であればよい。
【００４２】
そして、板ばね本体１２が縮径した自由状態で、第１ツマミ片２０に設けられた係止片２２の係止部２７ａと、第２ツマミ片３０の凹溝３２とは、幅方向にずれていて、周方向に沿って見たとき重ならない位置に形成されている。そのため、係止部２７ａを凹溝３２に係合させる際には、第１ツマミ片２０及び第２ツマミ片３０を近接させると共に、係止部２７ａが凹溝３２に整合するように、板ばね本体１２を幅方向に撓ませて係合させるようになっている。また、係止部２７ａが凹溝３２に係合した状態で、第１ツマミ片２０及び第２ツマミ片３０を近接させて上記係合を外すと、板ばね本体１２の弾性力によって上記撓みが是正されて、係止部２７ａと凹溝３２とが周方向に沿って見たとき重ならない位置となるので、そのまま第１ツマミ片２０及び第２ツマミ片３０を開くと、スリット１６内を差込片２９がスライドして、板ばね本体１２が縮径できるようになっている。
【００４３】
次に、上記構成からなるクランプ１０を用いて、ホースＨを配管Ｐに締付け固定する際の手順について説明する。
【００４４】
図３に示すように、第１ツマミ片２０及び第２ツマミ片３０が離反して、板ばね本体１２が自由状態で縮径した状態から、第１ツマミ片２０及び第２ツマミ片３０を、プライヤやペンチ等の工具によって摘んで、板ばね本体１２の弾性復元力に抗して周方向に挟み付けていく。そして、係止片２２の先端部２５を、第２ツマミ片３０の、第１ツマミ片２０から見て背面側に突出させると共に、係止部２７ａが凹溝３２に整合するように、板ばね本体１２を幅方向に撓ませて、係止部２７ａを凹溝３２に係合させる。その結果、ストッパ部をなす凹溝３２によって係止部２７ａの係合状態が保持されて、板ばね本体１２を拡径した状態に維持することができる（図１参照）。
【００４５】
この状態で、配管Ｐの一端部外周に装着されたホースＨの外周に、クランプ１０を配置する。そして、拡径したクランプ１０の第１ツマミ片２０及び第２ツマミ片３０を、プライヤやペンチ等の工具Ｔで摘んで近接させるのであるが、このとき、係止片２２が第２ツマミ片３０の背面側に突出しているので、工具Ｔで第１ツマミ片２０と係止片２２の先端部２５とを摘んでしまうことがあった。
【００４６】
本発明のクランプ１０においては、係止片２２が、板ばね本体１２の周方向にほぼ沿って伸びると共に、その先端部２５が板ばね本体１２の半径方向内方に向かって湾曲した構造となっている。そのため、図６の想像線で示すように、工具Ｔが第１ツマミ片２０と係止片２２の先端部２５とを摘んでしまっても、工具Ｔの一方の先端部が、係止片２２の先端部２５に引っ掛かることなく、第２ツマミ片３０へと移動するので、図６の実線で示すように、第１ツマミ片２０と第２ツマミ片３０とを確実に摘むことができ、係合解除作業をスムーズに行うことができる。
【００４７】
ところで、このクランプ１０に形成された係止片２２は、第１ツマミ片２０の所定位置から、板ばね本体１２の外周面に向けて斜め下方に伸びる構造ではなく、上記のように、板ばね本体１２の周方向にほぼ沿って伸びる部分を有し、先端部２５が板ばね本体１２の半径方向内方に向かって湾曲している。
【００４８】
このように、このクランプ１０における係止片２２は、板ばね本体１２の周方向に沿って伸びる部分を有しているので、第２ツマミ片３０の背面に対し、係止片２２を直角に近い角度で係合させることができる（図６参照）。その結果、係止部２７ａが第２ツマミ片３０の背面に斜め当たりして、径方向に滑ってしまうことを防止し、第２ツマミ片３０の凹溝３２に係止部２７ａをしっかりと係合させることができ、板ばね本体１２を拡径した状態に維持することができる。
【００４９】
また、板ばね本体１２の半径方向内に向かって湾曲した係止片２２の先端部２５は、その外面がなだらかな円弧状のカーブ面となっている（図６参照）。そのため、上記のように、係止片２２の先端部２５に引っ掛からず、係止片２２の外面側に移動した工具Ｔの先端部を、第２ツマミ片３０までスムーズに案内することができる。
【００５０】
更にこの実施形態では、図６に示すように、係止片２２の最先端部２５ａは、板ばね本体１２の第１つまみ片２０側の端部にあるスリット１６内に向けて、該スリット１６を囲む板ばね本体１２の外周面よりも、板ばね本体１２の半径方向内方に位置するように湾曲形成されている。そのため、上記のように、工具Ｔで第１ツマミ片２０と第２ツマミ片３０とを摘んで近接させるとき、工具Ｔが係止片２２の先端部２５により引っ掛かりにくくすることができ、更に確実に第１ツマミ片２０及び第２ツマミ片３０の両者を摘むことができるようになっている。
【００５１】
そして、上記のように両ツマミ片２０，３０をしっかりと摘んだ後、両者を更に近接させていくと、係止片２２の係止部２７ａが凹溝３２から外れて、係止片２２と第２ツマミ片３０との係合が解除される。更に、第１ツマミ片２０と第２ツマミ片３０とを近接させていくと、係止片２２の基部２３側のテーパ部２３ｃに第２ツマミ片３０が摺接して、第２ツマミ片３０が係止片２２から離れるように幅方向に移動させて、図２に示すように第２ツマミ片３０を第１ツマミ片２０の係止片２２と干渉しない位置に確実に移動させることができる。
【００５２】
上記状態で工具Ｔを徐々に開いて、第１ツマミ片２０と第２ツマミ片３０とを広げて離すと、板ばね本体１２の弾性復元力により、差込片２９がスリット１６内をスライドして、板ばね本体１２が縮径するので、ホースＨを締付けて配管Ｐに固定することができる。
【００５３】
このとき、このクランプ１０に設けられた係止片２２は、板ばね本体１２の半径方向外方に突出した第１ツマミ片２０から延出しているので、締付けすべきホースＨの全周に板ばね本体１２の内周をしっかりと密接させて、ホースＨを配管Ｐに締付けることができ、配管Ｐに接続されたホースＨのシール性等を向上させることができる。
【００５４】
また、この実施形態では、係止片２２の最先端部２５ａは、係止部２７ａ側の側縁２５ｂを切り欠かれて幅狭となっているので、板ばね本体１２の幅方向中心側の側縁２７ｂが切欠かれ、係止部２７ａが設けられた部分よりも幅狭に形成されている。そのため、上記のように板ばね本体１２が拡径状態から縮径するとき、係止片２２の最先端部２５ａが、スリット１６内をスライドする第２ツマミ片３０に干渉することを防止し、板ばね本体１２をスムーズに縮径させることができる。
【図１】
2010092702.tif 000003
【図２】
2010092702.tif 000004
【図３】
2010092702.tif 000005
【図４】
2010092702.tif 000006
【図５】
2010092702.tif 000007
【図６】
2010092702.tif 000008
【図７】
2010092702.tif 000009
【図８】
2010092702.tif 000010
【図９】
2010092702.tif 000011
【図１０】
2010092702.tif 000012
【図１１】
2010092702.tif 000013
【図１２】
2010092702.tif 000014
【図１３】
2010092702.tif 000015
【手続補正書】
【提出日】平成23年4月12日(2011.4.12)
【手続補正１】
【補正対象書類名】特許請求の範囲
【補正対象項目名】全文
【補正方法】変更
【補正の内容】
【特許請求の範囲】
【請求項１】
環状に湾曲されて形成された板ばね本体を有し、
この板ばね本体の一端部に、周方向に沿って形成されたスリットと、半径方向外方に突出した第１ツマミ片とが形成され、
前記板ばね本体の他端部には、前記スリットに差し込まれ、該スリット内を周方向にスライド可能とされた差込片と、該差込片の端部から半径方向外方に突出し、前記第１ツマミ片に対向して配設された第２ツマミ片とが形成され、
前記板ばね本体が縮径した自由状態から前記第１ツマミ片及び前記第２ツマミ片を近接させると、前記板ばね本体がその弾性力に抗して拡径するように構成されたホースクランプにおいて、
前記第１ツマミ片には、前記第２ツマミ片に向かって伸びると共に、前記板ばね本体の幅方向に延出されて、前記第２ツマミ片の、第１ツマミ片に対向する面とは反対側の面に係合できるフック状をなした係止片が形成され、
前記第２ツマミ片には、前記第１ツマミ片に対向する面とは反対側の面に、前記係止片が係合したときに、その状態を保持するストッパ部が形成され、
前記係止片の係止部は、前記板ばね本体が縮径した自由状態で、前記ストッパ部に対して幅方向にずれていて、周方向に沿って見たとき重ならない位置に形成されており、
前記係止片は、前記板ばね本体の周方向にほぼ沿って伸びると共に、該係止片の係止部より先端側が前記板ばね本体の半径方向内方に向かって湾曲していることにより、前記係止片が前記第２ツマミ片に係止した状態で前記第１ツマミ片と前記第２ツマミ片とを工具で摘むとき、該工具の先端部を前記第２ツマミ片に案内するように構成されていることを特徴とするホースクランプ。
【請求項２】
前記係止片の基部側は、前記第２ツマミ片側に向けて幅方向に広がるテーパ状をなしており、第１ツマミ片と第２ツマミ片とを近接させたとき、前記第２ツマミ片が前記係止片の幅方向に広がる基部側に接触して、前記係止片から離れるように幅方向に移動するように構成されている請求項１記載のホースクランプ。
【請求項３】
前記係止片の最先端部は、前記係止部側の側縁が切欠かれており、前記係止片の係止部が設けられた部分よりも幅狭に形成されている請求項１又は２記載のホースクランプ。
【請求項４】
前記係止片の最先端部は、前記板ばね本体の前記第１つまみ片側の端部にあるスリット内に向けて、該スリットを囲む板ばね本体の外周面とほぼ同じ位置か、その位置よりも前記板ばね本体の半径方向内方に位置するように湾曲形成されている請求項１〜３のいずれか１つに記載のホースクランプ。
【国際調査報告】
2010092702.tif 000016
2010092702.tif 000017
2010092702.tif 000018
2010092702.tif 000019